(57)【要約】      （修正有）【課題】一回の操作で、穴あけ、アンカーの移植、及びアンカーの固定を完了することができ、手術ミスの可能性を効果的に低減することができ、時間を節約することができ、手術の効果を向上することができるアンカー移植システムを提供する。【解決手段】骨Ｂに固定するためのアンカー移植システム１００において、アンカー移植システムは、アンカー２００と、回転刃３００を備え、アンカーは、内側と、外側と、穿孔を有し、穿孔は、内側と外側を連通し、アンカーは、内側に設けられている収容部と、外側に設けられているねじ部２２０を備え、回転刃は、一端が収容部を挿通して穿孔から突出し、回転刃は、その横断面の形状が非円形であり、回転してアンカーを駆動することができ、ねじ部によりアンカーを骨にねじ込むことができる。【選択図】図４Ｃ
0003228369.tif 000002
【実用新案登録請求の範囲】
【請求項１】
骨に固定するためのアンカー移植システムにおいて、アンカー移植システムは、
アンカーと、回転刃を備え、
前記アンカーは、内側と、外側と、穿孔を有し、前記穿孔は、前記内側と前記外側を連通し、前記アンカーは、前記内側に設けられている収容部と、前記外側に設けられているねじ部を備え、
前記回転刃は、一端が前記収容部を挿通して前記穿孔から突出し、前記回転刃は、その横断面の形状が非円形であり、回転して前記アンカーを駆動することができ、前記ねじ部により前記アンカーを前記骨にねじ込むことができることを特徴とするアンカー移植システム。
【請求項２】
前記回転刃の横断面の形状は、三角形、四角形、五角形、又は六角形であることを特徴とする、請求項１に記載のアンカー移植システム。
【請求項３】
前記回転刃は先端部を備え、前記先端部は、円錐状であり、前記骨に打ち込まれるためのものであることを特徴とする、請求項１に記載のアンカー移植システム。
【請求項４】
前記アンカーの材質は、ポリエーテルエーテルケトン（ＰＥＥＫ）を採用することを特徴とする、請求項１に記載のアンカー移植システム。
【請求項５】
前記ねじ部はテーパーを有し、前記テーパーは、２°〜４°範囲であることを特徴とする、請求項１に記載のアンカー移植システム。
【請求項６】
前記ねじ部はテーパーを有し、前記テーパーは、２．５°〜３．５°範囲であることを特徴とする、請求項５に記載のアンカー移植システム。
【請求項７】
請求項１に記載の前記アンカー移植システムと、駆動手段と、を備え、
前記駆動手段は、
前記回転刃の他端に接続されており、駆動部を有する駆動軸と、
前記駆動軸に接続されている操作ユニットと、
を備え、
前記操作ユニットは、前記駆動部に接続されており、前記駆動部を回転させるガイド部材を備えるアンカー移植システムにおいて、
前記駆動軸が駆動されて回転するとき、前記駆動部は、前記ガイド部材にガイドされて、前記駆動軸を前記アンカーの軸方向に沿って移動することを特徴とするアンカー移植システム。
【請求項８】
前記ガイド部材はピンであり、前記駆動部はスライドスロットであることを特徴とする、請求項７に記載のアンカー移植システム。
【請求項９】
前記スライドスロットは、螺旋状であり、凹むように前記駆動軸の表面に設けられていることを特徴とする、請求項８に記載のアンカー移植システム。
【請求項１０】
前記駆動軸は規制部材を有し、前記駆動手段は、更に、中空のシェル状であり、前記駆動軸を収容する把持部を備え、前記把持部は規制部を有し、
前記規制部材と前記規制部は、互いに規制されることにより、前記把持部と前記駆動軸は、相対的に固定されることを特徴とする、請求項７に記載のアンカー移植システム。
【請求項１１】
前記規制部は、前記把持部の裏壁に形成されていることを特徴とする、請求項１０に記載のアンカー移植システム。
【請求項１２】
前記規制部材は、ブロックであり、前記規制部に収容可能であることを特徴とする、請求項１１に記載のアンカー移植システム。
【請求項１３】
前記アンカーは開口を有し、前記回転刃にスレッディングスロットが設けられており、前記開口の位置は、前記スレッディングスロットに対応することを特徴とする、請求項７に記載のアンカー移植システム。
【考案の詳細な説明】
【技術分野】
【０００１】
本考案は、アンカー移植システムに関し、特に、医療手術に使用されるアンカー移植システムに関するものである。
【背景技術】
【０００２】
アンカーは、靭帯などの軟組織の縫合に使用される手術器具である。縫合手術は、まず、アンカーにより縫合糸の一端を骨に固定して、縫合糸で軟組織を縫合して、別のアンカーにより、縫合糸の他端を締めて固定する。
【０００３】
骨にアンカーを移植するために、よく見られる方法は、まず、直径のより大きな器具により、骨に案内穴をあけて、案内穴にアンカーを打ち込む。しかし、上記の従来の方法には下記の問題がある。
【０００４】
まず、医療技術の進歩により、各種の新しい低侵襲手術が開発され、これらの低侵襲手術の多くは、内視鏡の助けを借りて行われるため、手術を行う医師の視野に多くの制限がある。このため、穴あけ及びアンカーの移植は段階的に実行される場合、器具交換後に医師が元の穴を見つけられないという問題がよく発生する。
【０００５】
一方、アンカーは、打ち込み方式を採用して固定するため、より大きな案内穴を予めあけることが必要である。これにより、骨の周辺組織に対する破壊の程度はより大きく、アンカーの堅さも悪い。また、手術に関しては、器具を交換するステップにより、手術がより面倒で時間がかかる。
【考案の概要】
【考案が解決しようとする課題】
【０００６】
上記のような問題を解決するために、本考案の主な目的は、一回の操作で、穴あけ、アンカーの移植、及びアンカーの固定を完了することができ、手術ミスの可能性を効果的に低減することができ、時間を節約することができ、手術の効果を向上することができるアンカー移植システムを提供することにある。
【課題を解決するための手段】
【０００７】
本考案に係るアンカー移植システムによると、骨に固定するためのアンカー移植システムにおいて、アンカー移植システムは、
アンカーと、回転刃を備え、
アンカーは、内側と、外側と、穿孔を有し、穿孔は、内側と外側を連通し、アンカーは、内側に設けられている収容部と、外側に設けられているねじ部を備え、
回転刃は、一端が収容部を挿通して穿孔から突出し、回転刃は、その横断面の形状が非円形であり、回転してアンカーを駆動することができ、ねじ部によりアンカーを骨にねじ込むことができることを特徴とする。
【０００８】
本考案に係るアンカー移植システムによると、回転刃の横断面の形状は、三角形、四角形、五角形、又は六角形であることを特徴とする。
【０００９】
本考案に係るアンカー移植システムによると、回転刃は先端部を備え、先端部は、円錐状であり、骨に打ち込まれるためのものであることを特徴とする。
【００１０】
本考案に係るアンカー移植システムによると、アンカーの材質は、ポリエーテルエーテルケトン（ＰＥＥＫ）を採用することを特徴とする。
【００１１】
本考案に係るアンカー移植システムによると、ねじ部はテーパーを有し、テーパーは、２°〜４°範囲であることを特徴とする。
【００１２】
本考案に係るアンカー移植システムによると、ねじ部はテーパーを有し、テーパーは、２．５°〜３．５°範囲であることを特徴とする。
【００１３】
本考案に係るアンカー移植システムによると、請求項１に記載のアンカー移植システムと、駆動手段と、を備え、
駆動手段は、
回転刃の他端に接続されており、駆動部を有する駆動軸と、
駆動軸に接続されている操作ユニットと、
を備え、
操作ユニットは、駆動部に接続されており、駆動部を回転させるガイド部材を備えるアンカー移植システムにおいて、
駆動軸が駆動されて回転するとき、駆動部は、ガイド部材にガイドされて、駆動軸をアンカーの軸方向に沿って移動することを特徴とする。
【００１４】
本考案に係るアンカー移植システムによると、ガイド部材はピンであり、駆動部はスライドスロットであることを特徴とする。
【００１５】
本考案に係るアンカー移植システムによると、スライドスロットは、螺旋状であり、凹むように駆動軸の表面に設けられていることを特徴とする。
【００１６】
本考案に係るアンカー移植システムによると、駆動軸は規制部材を有し、駆動手段は、更に、中空のシェル状であり、駆動軸を収容する把持部を備え、把持部は規制部を有し、
規制部材と規制部は、互いに規制されることにより、把持部と駆動軸は、相対的に固定されることを特徴とする。
【００１７】
本考案に係るアンカー移植システムによると、規制部は、把持部の裏壁に形成されていることを特徴とする。
【００１８】
本考案に係るアンカー移植システムによると、規制部材は、ブロックであり、規制部に収容可能であることを特徴とする。
【００１９】
本考案に係るアンカー移植システムによると、アンカーは開口を有し、回転刃にスレッディングスロットが設けられており、開口の位置は、スレッディングスロットに対応することを特徴とする。
【００２０】
本実施形態に係る回転刃の横断面の形状は非円形であるため、アンカーの回転を駆動することができ、回転刃を回転するとき、切削半径が増加して、ねじ部を直接ねじ込み可能な案内穴を骨にあけることができる。このように、手術を行う医師は、位置を確認した後、骨にアンカーを直接ねじ込むことができるため、別の器具で穴あけしてアンカーを移植するという面倒なプロセスを行う必要がない。
【００２１】
本実施形態の特徴は、回転刃が、別の駆動手段に制御されて、軸方向に沿って伸縮することにある。換言すると、予め骨に穴あけすることが必要な場合、操作ユニットにより回転刃を伸ばすことができ、回転刃を穴あけ器具とすることができる。穴あけした後、回転刃は、初期位置に後退して、アンカーと共に骨にねじ込むことができる。
【００２２】
上記実施形態によると、本考案は、予め穴あけする手術に合わせて実施することもでき、同様に、一回の操作で、アンカーを移植する作業を完了することができる。
【００２３】
上記実施形態によると、ガイド部材はピンであり、駆動部はスライドスロットであり、スライドスロットは、螺旋状であり、凹むように駆動軸の表面に設けられており、そして駆動軸は規制部材を有し、駆動手段は把持部を備え、把持部は、中空のシェル状であり、駆動軸の差し込みを受けることができ、把持部は規制部を有し、規制部と規制部材は、互いに制限されることにより、把持部と駆動軸は相対的に固定される。
【００２４】
規制部と規制部材が互いに制限されるときに、把持部と駆動軸は相対的に回転することができない。これにより、医師は駆動手段の把持部を握って回転刃を操作して、骨にアンカーをねじ込むことができる。
【００２５】
さらに、アンカーには開口が設けられており、回転刃にはスレッディングスロットが設けられており、開口の位置はスレッディングスロットに対応するため、手術の縫合糸は、スレッディングスロットを経由して進入して、開口から出ることができる。
【考案の効果】
【００２６】
本考案に係るアンカー移植システムによれば、次のような効果がある。
（１）断面形状が非円形である回転刃により、案内穴の面積を拡大するため、骨にアンカーを容易にねじ込むことができると共に、固定効果もよい。
【００２７】
（２）回転刃とアンカーを統合することにより、一回の操作で、アンカーの移植を完了することができるため、時間を節約することができ、手術の難しさを低減することもできる。
【００２８】
（３）駆動手段により、予め穴あけすることができ、同様に、穴あけした後、器具を交換する必要がないため、安全性及び効率を両立することが可能である。
【図面の簡単な説明】
【００２９】
【図１】本考案の一実施形態に係るアンカー移植システムを示す分解斜視図である。
【図２】図１のアンカー移植システムのアンカーの一部を示す断面図である。
【図３Ａ】図１のアンカー移植システムの組み立て状態を示す図である。
【図３Ｂ】図１のアンカー移植システムを示す正面図である。
【図４Ａ−４Ｄ】図１のアンカー移植システムの操作を示す図である。
【図５】本考案の別の実施形態に係るアンカー移植システムを示す分解斜視図である。
【図６Ａ−６Ｂ】図５のアンカー移植システムの操作ユニットを示す図である。
【図６Ｃ−６Ｅ】図５のアンカー移植システムの駆動軸を示す図である。
【図６Ｆ−６Ｇ】図５のアンカー移植システムの回転刃の後退を示す図である。
【図７Ａ】図５のアンカー移植システムの把持部を示す断面図である。
【図７Ｂ−７Ｃ】図５のアンカー移植システムの回転刃の後退を示す図である。
【図８Ａ】図５のアンカー移植システムのアンカーの開口と回転刃のスレッディングスロットとを示す図である。
【図８Ｂ−８Ｆ】図５のアンカー移植システムの操作を示す図である。
【考案を実施するための形態】
【００３０】
以下、本考案の実施形態を図面に基づいて説明する。
【００３１】
図１及び図２を参照する。本考案の第１の実施形態に係るアンカー移植システム１００は、アンカー２００と、回転刃３００を備える。アンカー２００は、肉厚が薄いシェル状であり、内側２０１と、外側２０２を有する。アンカー２００の前端には、内側２０１と外側２０２を連通する穿孔２０３が設けられている。アンカー２００の内側２０１は、回転刃３００を収容するための収容部２１０である。アンカー２００の外側２０２には、ねじ部２２０が設けられている。
【００３２】
図３Ａ及び図３Ｂを参照する。回転刃３００は、アンカー２００の収容部２１０を挿通し、その前端は穿孔２０３から突出し、回転刃３００の横断面の形状は非円形である。図３Ｂに示すように、Ｒは一般の器具の切削半径であり、√２Ｒは回転刃３００の切削半径である。換言すると、横断面の形状が円形である器具と比較して、本実施形態に係る回転刃３００により切削された案内穴の面積は２倍に増加する。特に、本実施形態に係る回転刃３００はより大きな面積を有する案内穴を切削することができるが、回転刃３００の幅は依然として２Ｒだけである。したがって、アンカー２００の寸法を増加する必要がない。これにより、案内穴にねじ込むことに有利である。
【００３３】
一方、本実施形態に係る回転刃３００の横断面の形状は正四角形であるが、本考案はこれに限定されない。例えば、回転刃３００の横断面の形状は、三角形、五角形、六角形、又はその他の形状であってもよい。
【００３４】
図４Ａ〜図４Ｄは、アンカー移植システム１００の操作のプロセスを示す。図４Ａに示すように、医師は直接カニューレ（ｃａｎｎｕｌａ）を通して、アンカー移植システム１００を手術部位に延ばすことができ、予め別の器具で穴あけする必要はない。
【００３５】
図４Ｂを参照する。回転刃３００の前端には、円錐状である先端部３０１が設けられている。手術を行う医師がアンカー２００の取付位置を決めた後、骨Ｂに先端部３０１を直接打ち込み、又はねじ込むことができる。
【００３６】
図４Ｃを参照する。回転刃３００の横断面の形状は非円形であるため、医師が回転刃３００を回転するとき、アンカー２００が駆動されて一緒に回転して、ねじ部２２０によりアンカー２００が骨Ｂにねじ込まれる。
【００３７】
図４Ｄを参照する。設定された深さまでアンカー２００をねじ込んだ後、医師は、回転刃３００を引き出して、その後、軟組織の縫合手術を行うことができる。
【００３８】
上記の説明から、本実施形態に係るアンカー移植システム１００は、回転刃３００とアンカー２００を統合して、回転刃３００は、穴あけすると共に、骨Ｂにアンカー２００をねじ込むことが分かる。このようにして、医師は、予め穴あけする手間を省けるだけでなく、アンカー２００を固定する操作がより簡単となり、アンカー２００の固定効果も優れている。
【００３９】
ねじ部２２０は、２°〜４°範囲のテーパーを有する。ねじ部２２０のテーパーは、２．５°〜３．５°であることが好ましく、３°であることが更によい。アンカー２００の材質は、ポリエーテルエーテルケトン（ＰＥＥＫ）、又はその他の骨Ｂと相性がよい材料を採用する。
【００４０】
図５を参照する。本考案の別の実施形態に係るアンカー移植システム４００は、アンカー移植システム１００と、駆動手段５００を備える。駆動手段５００は、更に、駆動軸５１０と、操作ユニット５２０を備える。駆動軸５１０は、アンカー移植システム１００の回転刃３００の他端に接続されている。操作ユニット５２０は駆動軸５１０に接続されている。
【００４１】
図６Ａ〜図６Ｃを参照する。駆動軸５１０は駆動部５１１を有する。駆動部５１１は、螺旋状のスライドスロットであり、凹むように駆動軸５１０の表面に設けられている。図６Ｄ及び図６Ｅを引き続き参照する。操作ユニット５２０はガイド部材５２１を備える。ガイド部材５２１は、操作ユニット５２０に固定されているピンである。ガイド部材５２１の一部は、図６Ｅに示すように、操作ユニット５２０の裏壁に位置する接続部５２２に差し込まれる。
【００４２】
図６Ｆを参照する。駆動軸５１０は、操作ユニット５２０の接続部５２２に差し込まれており、駆動部５１１はガイド部材５２１に接続されている。操作ユニット５２０が回転するとき、駆動部５１１は、ガイド部材５２１にガイドされて、駆動軸５１０が一緒に回転する。一方、駆動部５１１は螺旋状の溝であるため、駆動軸５１０は、回転しているとき、アンカー２００の軸方向に沿って移動する。図６Ｇに示すように、ガイド部材５２１の位置が駆動部５１１の他端に対応するとき、駆動軸５１０が接続部５２２の底部に移動する。このとき、駆動軸５１０と接続する回転刃３００もアンカー２００に対して後退する。
【００４３】
これにより、本実施形態によれば、回転刃３００により骨Ｂに予め穴あけして、操作ユニット５２０により回転刃３００を初期位置に後退して、回転刃３００を回転すると、骨Ｂにアンカー２００をねじ込むことができる。
【００４４】
図７Ａ〜図７Ｃを参照する。駆動手段５００は、図７Ａに示すように、更に、把持部５３０を備える。把持部５３０は、中空のシェル状であり、駆動軸５１０を収容する。把持部５３０は規制部５３１を備える。図７Ｂ及び図７Ｃに示すように、駆動軸５１０は規制部材５１２を有し、駆動軸５１０は操作ユニット５２０に接続されており、操作ユニット５２０は把持部５３０に隣接する。本実施形態では、規制部材５１２はブロックであり、規制部５３１は把持部５３０の裏壁に形成されている収容空間である。
【００４５】
図７Ｂ及び図７Ｃを参照する。規制部材５１２は立方体であり、規制部５３１は規制部材５１２を収容可能なため、規制部材５１２と規制部５３１は互いに制限される。これにより、把持部５３０、操作ユニット５２０及び駆動軸５１０は、相対的に固定される。したがって、操作ユニット５２０又は把持部５３０が回転されると、駆動軸５１０は駆動されて回転する。このプロセスにおいて、規制部材５１２は規制部５３１に対して直線的に移動する。
【００４６】
図７Ｃに示すように、回転刃３００が適当な位置に後退した後、医師は、操作ユニット５２０又は把持部５３０を引き続き回転させて、骨Ｂにアンカー２００を移植することができる。
【００４７】
特に、把持部５３０は、操作者に手工具を使用するような便利性を与えるためのものだけであり、本考案を実施する必要な部材ではない。把持部５３０がなくても、操作者は依然として操作ユニット５２０により駆動軸５１０を回転して、骨Ｂにアンカー２００をねじ込むことができる。
【００４８】
同様に、規制部材５１２と規制部５３１は、その具体的な態様を変更してもよく、両方の回転が互いに制限される機能を有すれば、本考案に適用することができる。
【００４９】
図８Ａを参照する。その他の実施形態では、アンカー２００は開口２０４を有し、回転刃３００にはスレッディングスロット３０２が設けられており、開口２０４の位置はスレッディングスロット３０２に対応することにより、縫合糸は通過することができる。
【００５０】
図８Ｂ及び図８Ｃを参照する。第１の実施形態で説明したのと同様に、アンカー移植システム４００は、カニューレ（ｃａｎｎｕｌａ）に直接延びてアンカー２００を移植することができ、別の器具で予め骨Ｂに穴あけする必要がない。アンカー２００の移植位置を決めた後、骨Ｂに回転刃３００を打ち込むことができる。回転刃３００の横断面の形状は非円形であるため、回転刃３００が回転するとき、骨Ｂがさらに切削されて、案内穴の穴径が拡大される。
【００５１】
図８Ｄを引き続き参照する。医師が操作ユニット５２０を回転するとき、ガイド部材５２１は駆動部５１１を駆動して、駆動軸５１０と回転刃３００は軸方向に沿って後退する。
【００５２】
図８Ｅを参照する。回転刃３００が後退した状態で、医師は、操作ユニット５２０又は把持部５３０を引き続き回転させて、骨Ｂに回転刃３００とアンカー２００とを一緒にねじ込むことができる。特に、回転刃３００は、アンカー２００を移植する前に後退するため、縫合糸がスポンジ骨（Ｓｐｏｎｇｙ ｂｏｎｅ）内で回転刃３００と絡み合うことを回避することができる。このため、適当な深さまでアンカー２００をねじ込んだ後、アンカー２００から回転刃３００を円滑に引き出すことができる。
【００５３】
図８Ｆに示すように、骨Ｂにアンカー２００をねじ込むと同時に、ねじ部２２０と骨Ｂとの間の縫合糸がきつく締められ、これにより軟組織の縫合手術を完了することができる。
【００５４】
今回開示された実施形態はすべての点で例示であって制限的なものではないと理解すべきである。本考案の範囲は上述した説明ではなくて請求の範囲によって示され、請求の範囲と均等な意味及び範囲内でのすべての変更が含まれることが意図される。
【符号の説明】
【００５５】
１００、４００  アンカー移植システム
２００  アンカー
２０１  内側
２０２  外側
２０３  穿孔
２０４  開口
２１０  収容部
２２０  ねじ部
３００  回転刃
３０１  先端部
３０２  スレッディングスロット
５００  駆動手段
５１０  駆動軸
５１１  駆動部
５１２  規制部材
５２０  操作ユニット
５２１  ガイド部材
５２２  接続部
５３０  把持部
５３１  規制部
Ｂ  骨
【図１】
0003228369.tif 000003
【図２】
0003228369.tif 000004
【図３Ａ】
0003228369.tif 000005
【図３Ｂ】
0003228369.tif 000006
【図４Ａ】
0003228369.tif 000007
【図４Ｂ】
0003228369.tif 000008
【図４Ｃ】
0003228369.tif 000009
【図４Ｄ】
0003228369.tif 000010
【図５】
0003228369.tif 000011
【図６Ａ】
0003228369.tif 000012
【図６Ｂ】
0003228369.tif 000013
【図６Ｃ】
0003228369.tif 000014
【図６Ｄ】
0003228369.tif 000015
【図６Ｅ】
0003228369.tif 000016
【図６Ｆ】
0003228369.tif 000017
【図６Ｇ】
0003228369.tif 000018
【図７Ａ】
0003228369.tif 000019
【図７Ｂ】
0003228369.tif 000020
【図７Ｃ】
0003228369.tif 000021
【図８Ａ】
0003228369.tif 000022
【図８Ｂ】
0003228369.tif 000023
【図８Ｃ】
0003228369.tif 000024
【図８Ｄ】
0003228369.tif 000025
【図８Ｅ】
0003228369.tif 000026
【図８Ｆ】
0003228369.tif 000027